(57)【特許請求の範囲】
【請求項１】
イメージセンサから出力されたカメラ信号にクランプをかけるディジタルカメラにおいて、
前記イメージセンサに第１露光を施す第１露光手段、
前記第１露光によって生成される第１カメラ信号のクランプタイミングを光学的黒期間に設定する第１設定手段、
前記イメージセンサに第２露光を施す第２露光手段、
前記第２露光によって生成される第２カメラ信号のクランプタイミングを空送り期間に設定する第２設定手段、
前記イメージセンサに第３露光を施す第３露光手段、および
前記クランプを施された第１カメラ信号および第２カメラ信号に基づいて前記第３露光時の露光量を調整する第１調整手段を備えることを特徴とする、ディジタルカメラ。
【請求項２】
前記第１調整手段は、前記第１カメラ信号の第１輝度成分を検出する第１輝度検出手段、前記第２カメラ信号の第２輝度成分を検出する第２輝度検出手段、前記第１輝度成分および前記第２輝度成分の差分を検出する差分検出手段、および前記差分に基づいて前記第３露光時の露光量を調整する露光量調整手段を含む、請求項１記載のディジタルカメラ。
【請求項３】
前記露光量調整手段は、前記差分を第１閾値と比較する第１比較手段、および前記差分が前記第１閾値以上のとき前記第３露光時の露光量を抑制する露光量抑制手段を含む、請求項２記載のディジタルカメラ。
【請求項４】
前記第３露光によって生成される第３カメラ信号のクランプタイミングを前記光学的黒期間に設定する第３設定手段、
前記クランプを施された第３カメラ信号に基づいて第４露光時の露光量を調整する第２調整手段、および
前記イメージセンサに前記第４露光を施す第４露光手段をさらに備え、
前記第１調整手段は絞り量を調整し、前記第２調整手段は露光時間を調整する、請求項１ないし３のいずれかに記載のディジタルカメラ。
【請求項５】
前記第１露光、前記第２露光および前記第３露光はプリ露光であり、
前記第４露光は本露光である、請求項４記載のディジタルカメラ。
【請求項６】
イメージセンサから出力されたカメラ信号にクランプをかけるディジタルカメラにおいて、
前記イメージセンサに第１露光を施す第１露光手段、
前記第１露光によって生成される第１カメラ信号のクランプタイミングを光学的黒期間に設定する第１設定手段、
前記イメージセンサに第２露光を施す第２露光手段、
前記第２露光によって生成される第２カメラ信号のクランプタイミングを空送り期間に設定する第２設定手段、
前記イメージセンサに第３露光を施す第３露光手段、および
前記第３露光によって生成される第３カメラ信号のクランプタイミングを前記クランプを施された第１カメラ信号および第２カメラ信号に基づいて前記光学的黒期間および前記空送り期間のいずれか一方に設定する第３設定手段を備えることを特徴とする、ディジタルカメラ。
【請求項７】
前記クランプを施された第１カメラ信号および第２カメラ信号に基づいて前記イメージセンサが飽和しているか否かを判別する判別手段をさらに備え、
前記設定手段は前記判別手段の判別結果が否定的であるとき前記クランプタイミングを前記光学的黒期間に設定し、前記判別手段の判別結果が肯定的であるとき前記クランプタイミングを前記空送り期間に設定する、請求項６記載のディジタルカメラ。
【請求項８】
前記判別手段は、前記第１カメラ信号の第１輝度成分を検出する第１輝度検出手段、前記第２カメラ信号の第２輝度成分を検出する第２輝度検出手段、前記第１輝度成分および前記第２輝度成分の差分を閾値と比較する比較手段を含む、請求項７記載のディジタルカメラ。
【請求項９】
前記イメージセンサに第４露光を施す第４露光手段、および
前記クランプをかけられた第３カメラ信号に基づいて前記第４露光時の露光量を調整する調整手段をさらに備える、請求項６ないし８のいずれかに記載のディジタルカメラ。
【請求項１０】
前記第１露光，前記第２露光および前記第３露光はプリ露光であり、
前記第４露光は本露光である、請求項９記載のディジタルカメラ。
【発明の詳細な説明】
【０００１】
【産業上の利用分野】
この発明は、ディジタルカメラに関し、特にたとえば、イメージセンサから出力されたカメラ信号にクランプをかける、ディジタルカメラに関する。
【０００２】
【従来の技術】
ディジタルカメラでは、シャッタボタンが操作されると、ＣＣＤイメージャがプリ露光され、これによって生成されたカメラ信号はクランプ処理を施される。被写体像の輝度は、クランプ処理を施されたカメラ信号に基づいて評価され、この結果、本露光量が最適値に設定される。
【０００３】
このようなディジタルカメラにおいて、従来は、カメラ信号の光学的黒期間にクランプ処理を行っていた。
【０００４】
【発明が解決しようとする課題】
しかし、ＣＣＤイメージャに高輝度の光が照射されると、ブルーミングによって光学的黒エリアにも電荷が流れ込み、光学的黒レベルが変動してしまう。このため、光学的黒期間にクランプ処理を行う従来技術では、被写体像の輝度を適切に評価できなかった。つまり、従来技術では、本露光量を適切に調整することができなかった。
【０００５】
それゆえに、この発明の主たる目的は、高輝度の光が入射したときでも本露光量を適切に調整することができる、ディジタルカメラを提供することである。
【０００６】
【課題を解決するための手段】
第１の発明に従うディジタルカメラは、イメージセンサから出力されたカメラ信号にクランプをかけるディジタルカメラにおいて、イメージセンサに第１露光を施す第１露光手段、第１露光によって生成される第１カメラ信号のクランプタイミングを光学的黒期間に設定する第１設定手段、イメージセンサに第２露光を施す第２露光手段、第２露光によって生成される第２カメラ信号のクランプタイミングを空送り期間に設定する第２設定手段、イメージセンサに第３露光を施す第３露光手段、およびクランプを施された第１カメラ信号および第２カメラ信号に基づいて第３露光時の露光量を調整する第１調整手段を備えることを特徴とする。
【０００７】
第２の発明に従うディジタルカメラは、イメージセンサから出力されたカメラ信号にクランプをかけるディジタルカメラにおいて、イメージセンサに第１露光を施す第１露光手段、第１露光によって生成される第１カメラ信号のクランプタイミングを光学的黒期間に設定する第１設定手段、イメージセンサに第２露光を施す第２露光手段、第２露光によって生成される第２カメラ信号のクランプタイミングを空送り期間に設定する第２設定手段、イメージセンサに第３露光を施す第３露光手段、および第３露光によって生成される第３カメラ信号のクランプタイミングをクランプを施された第１カメラ信号および第２カメラ信号に基づいて光学的黒期間および空送り期間のいずれか一方に設定する第３設定手段を備えることを特徴とする。
【０００８】
【作用】
第１の発明では、イメージセンサに第１露光を施すことによって生成される第１カメラ信号のクランプタイミングが、第１設定手段によって光学的黒期間に設定される。また、イメージセンサに第２露光を施すことによって生成される第２カメラ信号のクランプタイミングが、第２設定手段によって空送り期間に設定される。第１調整手段は、このようなクランプを施された第１カメラ信号および第２カメラ信号に基づいて、第３露光時の露光量を調整する。イメージセンサは、第３露光手段によって第３露光を施される。
【０００９】
この発明のある局面では、第１調整手段は、次のようにして露光量を調整する。まず、第１輝度検出手段によって第１カメラ信号の第１輝度成分が検出され、第２輝度検出手段によって第２カメラ信号の第２輝度成分が検出され、そして第１輝度成分および第２輝度成分の差分が差分検出手段によって検出される。露光量調整手段は、このような差分に基づいて第３露光時の露光量を調整する。露光量調整手段は差分を第１閾値と比較し、差分が第１閾値以上のとき第３露光時の露光量を抑制する。
【００１０】
この発明の他の局面では、第３露光によって生成される第３カメラ信号のクランプタイミングが、第３設定手段によって光学的黒期間に設定される。第２調整手段は、クランプを施された第３カメラ信号に基づいて第４露光時の露光量を調整する。ここで、第１調整手段は絞り量を調整し、第２調整手段は露光時間を調整する。なお、第１露光、第２露光および第３露光はプリ露光であり、第４露光は本露光である。
【００１１】
第２の発明では、第１カメラ信号は、第１露光手段がイメージセンサに第１露光を施すことで生成され、第２カメラ信号は、第２露光手段がイメージセンサに第２露光を施すことで生成され。そして第３カメラ信号は、第３露光手段がイメージセンサに第３露光を施すことで生成される。第１設定手段は第１カメラ信号のクランプタイミングを光学的黒期間に設定し、第２設定手段は第２カメラ信号のクランプタイミングを空送り期間に設定する。第３設定手段は、第３カメラ信号のクランプタイミングを、クランプを施された第１カメラ信号および第２カメラ信号に基づいて光学的黒期間および空送り期間のいずれか一方に設定する。
【００１５】
【発明の効果】
第１の発明によれば、光学的黒期間にクランプを施された第１カメラ信号と空送り期間にクランプを施された第２カメラ信号とに基づいて第３露光時の露光量を調整するようにしたため、ブルーミングが生じるような高輝度の光が入射されたときでも、第３露光によって得られたカメラ信号に基づいて本露光量を適切に調整することができる。
【００１６】
第２の発明によれば、所定タイミングでクランプされたカメラ信号に基づいて本露光量を適切に調整することができる。
【００１７】
この発明の上述の目的，その他の目的，特徴および利点は、図面を参照して行う以下の実施例の詳細な説明から一層明らかとなろう。
【００１８】
【実施例】
図１を参照して、この実施例のディジタルカメラ１０は、光学レンズ１２および絞り１４を含む。被写体の光像は、これらの部材を介してＣＣＤイメージャ１６に照射される。ＣＣＤイメージャ１６の受光面には補色フィルタ（図示せず）が装着されており、図２に示すそれぞれのフォトセンサ１４ａには、いずれか１つの補色成分を持つ光が照射される。フォトセンサ１４ａは、照射量に対応する電荷（カメラ信号）を光電変換によって生成する。
【００１９】
フォトセンサ１４ａで生成された電荷は、タイミングジェネレータ（ＴＧ）２６から出力された電荷読み出しパルスによって垂直転送レジスタ１４ｂに読み出される。読み出された電荷は、ＴＧ２６から出力された垂直転送パルスによって垂直方向に転送される。ＴＧ２６はまた、水平１ライン分の電荷が各垂直転送レジスタ１４ｂから水平転送レジスタ１４ｃに与えられる毎に、水平転送パルスを出力する。水平転送レジスタ１４ｃは、このような水平転送パルスに応答して水平１ライン分の電荷を水平方向に転送する。水平転送された電荷は、出力回路１４ｄを経て外部に出力される。このように、それぞれのフォトセンサ１４ａで生成された１画面分の電荷は、ラスタスキャン方式でＣＣＤイメージャ１４から出力される。
【００２０】
ＴＧ２６は、各ラインのカメラ信号がＣＣＤイメージャ１４から間欠的に出力されるように、水平転送パルスを発生する。つまり、カメラ信号の水平ブランキング期間を確保するために、次ラインのカメラ信号は、現ラインのカメラ信号の出力が完了してから所定期間経過後に出力され始める。このため、ＣＣＤイメージャ１４から出力されるカメラ信号は、現ラインの末尾部分と次ラインの先頭部分との間に空送り成分を有する。また、ＣＣＤイメージャ１４の受光面には、図３に示すように有効エリアと光学的黒エリア（ＯＰＢエリア）とが形成される。有効エリアは受光面の中央に形成され、光学的黒エリアは受光面の周辺に形成される。このため、ＣＣＤイメージャ１４から出力されるカメラ信号は、上述の空送り成分に加えて、光学的黒成分も有する。
【００２１】
ＣＣＤイメージャ１６から出力されたカメラ信号は、ＣＤＳ回路１８による相関２重サンプリング処理を経てクランプ回路２０に与えられる。クランプ回路２０は、ＴＧ２６から出力されたクランプパルスに応答して、カメラ信号にクランプをかける。リアルタイムの動画像（スルー画像）をモニタ３８に表示するとき、ＴＧ２６はクランプパルスＣＬＰ１を発生する。クランプパルスＣＬＰ１はカメラ信号の光学的黒期間に出力され、カメラ信号は光学的黒レベルでクランプされる。クランプ処理を終えたカメラ信号は、ＡＧＣ回路２２でゲイン調整を施されてから、Ａ／Ｄ変換器２４によってディジタル信号（カメラデータ）に変換される。
【００２２】
第１信号処理回路２８は、Ａ／Ｄ変換器２４から出力されたカメラデータに基づいてＲＧＢデータおよびＹデータを生成し、生成したＲＧＢデータおよびＹデータを第２信号処理回路３０に与える。第２信号処理回路は、入力されたＲＧＢデータおよびＹデータをメモリ３４を用いてＹＵＶデータに変換し、変換したＹＵＶデータをビデオエンコーダ３６に出力する。ＹＵＶデータは、ビデオエンコーダ３６で所定のエンコード処理を施され、その後モニタ３８に与えられる。この結果、スルー画像がモニタ画面に表示される。
【００２３】
オペレータがシャッタボタン５４を操作すると、システムコントローラ５２は撮影指令をＣＰＵ４０に与える。ＣＰＵ４０は、このような撮影指令に応答して図５および図６に示すフロー図を処理し、被写体像をメモリカード５０に記録する。
【００２４】
ＣＰＵ４０はまず、ステップＳ１でシャッタスピード（露光期間）および絞り量を初期化し、ステップＳ３でクランプタイミングを光学的黒期間に設定する。絞り量データはドライバ４６に与えられ、ドライバ４６によって絞り１４が初期値に設定される。また、初期値を持つシャッタスピードデータおよびクランプパルスＣＬＰ１の発生タイミングデータが、対応するアドレスデータとともにレジスタ４４に与えられる。ＣＰＵ４０は続いてステップＳ５に進み、プリ露光をＴＧ２６に指示する。
【００２５】
ＴＧ２６はレジスタ４４に保持された初期シャッタスピードデータに従う期間だけプリ露光を行うとともに、レジスタ４４に保持された発生タイミングデータに従ってクランプパルスＣＬＰ１を発生する。クランプパルスＣＬＰ１は、プリ露光によって生成されたカメラ信号の光学的黒成分がクランプ回路２０に入力されるタイミングでＴＧ２６から出力され、カメラ信号は光学的黒レベルでクランプされる。第１信号処理回路２８は、このようにしてクランプされたカメラ信号に基づいてＹデータを生成する。生成されたＹデータは積分回路３２で１フレーム期間にわたって積分され、この結果、積分値Ｙ１ａが求められる。
【００２６】
ＣＰＵ４０は、ステップＳ７でこのような積分値Ｙ１ａを取り込み、取り込んだ積分値Ｙ１ａをメモリ４２に書き込む。
【００２７】
ＣＰＵ４０は続いてステップＳ９に進み、クランプタイミングを空送り期間に設定する。つまり、クランプパルスＣＬＰ２の発生タイミングデータを所定のアドレスデータとともにレジスタ４４に与え、ステップＳ３で設定された発生タイミングデータを現発生タイミングデータによって更新する。更新が完了するとＣＰＵ４０はステップＳ１１に進み、ＴＧ２６にプリ露光を指示する。
【００２８】
ＴＧ２６は、レジスタ４４の初期シャッタースピードデータに従ってプリ露光を行い、かつレジスタ４４の発生タイミングデータに従ってクランプパルスＣＬＰ２を発生する。クランプパルスＣＬＰ２は、今回のプリ露光によって生成されたカメラ信号の空送り成分がクランプ回路２０に与えられるタイミングで発生され、カメラ信号は空送りレベルでクランプされる。第１信号処理回路は、空送りレベルでクランプされたカメラ信号に基づいてＹデータを生成し、積分回路３２は、生成されたＹデータを積分して積分値Ｙ１ｂを生成する。
【００２９】
ＣＰＵ４０は、ステップＳ１３で積分回路３２から積分値Ｙ１ｂを取り込み、次にステップＳ１５でこの積分値Ｙ１ｂとメモリ４２に書き込まれたＹ１ａとの差分Ｓ１を算出する。差分Ｓ１は、数１に従って求められる。
【００３０】
【数１】
Ｓ１＝Ｙ１ｂ−Ｙ１ａ
ステップＳ１７では、差分Ｓ１を第１閾値と比較する。そして、Ｓ１＜第１閾値であれば、ステップＳ１７でＹＥＳと判断してステップＳ１９に進む。一方、Ｓ１≧第１閾値であれば、ステップＳ１７でＮＯと判断し、ステップＳ２５〜Ｓ３１で上述のステップＳ１１〜Ｓ１７と同様の処理を再度実行する。つまり、ステップＳ１１と同じ要領でプリ露光を行い、このプリ露光によって生成されたカメラ信号に基づく積分値Ｙ１ｃを取り込み、数２に従って差分Ｓ２を求め、そしてこの差分Ｓ２を第１閾値と比較する。
【００３１】
【数２】
Ｓ２＝Ｙ１ｃ−Ｙ１ａ
ここでＳ２＜第１閾値であれば、ＣＰＵ４０はステップＳ１９に進む。つまり、ステップＳ１７およびＳ３１の２回の比較処理のうち一方でも差分＜第１閾値と判断されると、ステップＳ１９に進む。これに対して、２回の比較処理のいずれでも差分≧第１閾値と判断されると、ＣＰＵ４０はステップＳ３３に進み、絞り１４を最大限に閉じる。つまり、カメラ信号にブルーミングが発生していると判断し、露光量を抑制するために、ドライバ４６に絞り１４を最大限に閉じさせる。その後、ステップＳ３５に進む。
【００３２】
ステップＳ１９では、ステップＳ７で取り込んだ積分値Ｙ１ａを第２閾値と比較する。Ｙ１ａ≧第２閾値であれば、現シャッタスピードおよび現絞り量がプリ露光を行うのに妥当な値を持っていると判断し、そのままステップＳ３５に進む。これに対してＹ１ａ＜第２閾値であれば、プリ露光量は不十分であると判断し、ステップＳ２１に進む。ステップＳ２１では、積分値Ｙ１ａに基づいて最適絞り量を算出し、続くステップＳ２３で絞り１４を最適絞り量に設定する。絞り１４の調整が完了すると、ＣＰＵ４０はステップＳ３５に進む。
【００３３】
ステップＳ３５ではステップＳ３と同様の処理を行い、クランプタイミングを光学的黒期間に設定する。ＣＰＵ４０はその後、ステップＳ３７でＴＧ２６にプリ露光を指示する。ＴＧ２６は、初期シャッタスピードデータに従ってプリ露光を行い、かつクランプパルスＣＬＰ１をクランプ回路２０に与える。この結果、プリ露光によって生成されたカメラ信号が、光学的黒レベルでクランプされる。第１信号処理回路２８は、このようなカメラ信号に基づいてＹデータを生成し、積分回路３２は、生成されたＹデータを積分して積分値Ｙ２を出力する。
【００３４】
ＣＰＵ４０は、このようにして得られた積分値Ｙ２をステップＳ３９で取り込む。そして、ステップＳ４１でこの積分値Ｙ２に基づいて最適シャッタスピードを算出し、算出した最適シャッタスピードデータをレジスタ４４に設定する。つまり、初期シャッタスピードを最適シャッタスピードによって更新する。更新が完了すると、ＣＰＵ４０はステップＳ４３に進み、ＴＧ４３に本露光を指示する。
【００３５】
ＴＧ４３は、レジスタ４４に設定された最適シャッタスピードデータに従って本露光を行うとともに、クランプパルスＣＬＰ１をクランプ回路２０に与える。本露光によって生成されたカメラ信号は、光学的黒レベルでクランプされる。クランプされたカメラ信号は、ＡＧＣ処理を経てカメラデータに変換され、その後第１信号処理回路２８および第２信号処理回路３０で上述と同様の処理を施される。この結果、本露光に基づくＹＵＶデータが生成される。
【００３６】
ステップＳ４５では、このようなＹＵＶデータにＪＰＥＧ圧縮を施す。これによって圧縮データが生成されると、ステップＳ４７でこの圧縮データの記録処理を行う。圧縮データは、Ｉ/Ｆ回路４８を経てメモリカード５０に記録される。
【００３７】
ＣＣＤイメージャ１４から図４（Ａ）に示すカメラ信号が出力された場合、このカメラ信号は、まず図４（Ｂ）に示すクランプパルスＣＬＰ１に応答して光学的黒レベル（ＯＰＢレベル）でクランプされ、次に図３（Ｄ）に示すクランプパルスＣＬＰ２に応答して空送りレベルでクランプされる。異なるタイミングでクランプされたカメラ信号の輝度成分は個別に積分され、その後、数１によって差分Ｓ１が求められる。この差分Ｓ１は、図４（Ａ）に示すＯＰＢレベルおよび空送りレベルの間のレベル差を意味する。
【００３８】
ＣＣＤイメージャ１４から図４（Ｃ）に示すカメラ信号が出力された場合も、このカメラ信号は、まずクランプパルスＣＬＰ１に応答してＯＰＢレベルでクランプされ、次にクランプパルスＣＬＰ２に応答して空送りレベルでクランプされる。そして、それぞれのカメラ信号の輝度成分が個別に積分され、数１によって差分Ｓ１が求められる。この差分Ｓ１もまた、図４（Ｃ）に示すＯＰＢレベルおよび空送りレベルの間のレベル差を意味する。ただし、図４（Ｃ）では高輝度の光の入射によってブルーミングが発生し、ＯＰＢレベルが本来のレベルから大きくずれている。
【００３９】
一方、第１閾値は、図４（Ａ）に示すレベル差よりも大きく、かつ図４（Ｃ）に示すレベル差よりも小さい値を持つ。このため、レベル差と第１閾値とを比較すれば、カメラ信号にブルーミングが生じているかどうかが判別される。
【００４０】
したがって、ＣＰＵ４０は、数１および数２によって求めた差分Ｓ１およびＳ２を第１閾値と比較し、これらの差分が第１閾値以上であれば、露光量を抑制するために絞りを最大限に閉じる。これによって、ブルーミングが抑えられる。一方、差分が第１閾値に満たなければ、ブルーミングは発生していない。このため、プリ露光量が不足していない限り、現時点の絞り量を維持する。絞り量の調整が完了すると、ＣＰＵ４０は再度プリ露光を行い、これによって生成されたカメラ信号に基づいてシャッタスピードを調整する。このようにして、露光量が最適値に設定されると、ＣＰＵ４０は本露光を行い、これによって得られたカメラ信号に対応するＹＵＶデータをメモリカード５０に記録する。
【００４１】
この実施例によれば、ブルーミングが発生したときに露光量を抑制するようにしたため、次回のプリ露光によって生成されるカメラ信号に基づいて本露光量を適切に調整することができる。
【００４２】
なお、この実施例では、ブルーミングの発生時に絞り量を閉じるようにしたが、ブルーミングは、絞り量の代わりにシャッタスピードを調整したり、絞り量およびシャッタスピードの両方を調整することによっても抑制できる。
【００４３】
図７を参照して、他の実施例のディジタルカメラ１０は、図１実施例と同様に構成される。さらに、この実施例のＣＰＵ４０は撮影指令に応答して図８および図９に示すフロー図を処理するが、このフロー図に示す多くのステップが、図５および図６に示すフロー図と共通する。このため、重複する処理については、できる限り説明を省略する。
【００４４】
ステップＳ１０１〜Ｓ１１７はステップＳ１〜Ｓ１７と同じであり、ステップＳ１２５〜Ｓ１３１はステップＳ２５〜Ｓ３１と同じであり、ステップＳ１３７およびＳ１３９はステップＳ３７およびＳ３９と同じであり、そしてステップＳ１４３〜Ｓ１４７はステップＳ４３〜Ｓ４７と同じである。異なるのは、ステップＳ１１７およびステップＳ１３１のいずれか一方でＹＥＳと判断されたときに、ステップＳ１３５でクランプタイミングを光学的黒期間に設定する点、ステップＳ１１７およびステップＳ１３１の両方でＮＯと判断されたときにステップＳ１３３でクランプタイミングを空送り期間に設定する点、およびステップＳ１４１で最適シャッタスピードだけでなく最適絞りも算出する点である。
【００４５】
このようなフロー図が処理される結果、ブルーミングが生じてなければ、差分Ｓ１およびＳ２は第１閾値未満となり、次回のプリ露光によって生成されるカメラ信号は光学的黒レベルでクランプされる。一方、ブルーミングが生じていれば、差分Ｓ１およびＳ２は第１閾値以上となり、次回のプリ露光によって生成されるカメラ信号は空送りレベルでクランプされる。
【００４６】
このため、ブルーミングが発生しても、クランプレベルは従来技術ほど大きく変動しない。したがって、クランプ処理が施されたカメラ信号に基づいて本露光時の露光量を適切に調整することができる。
【００４７】
なお、以上の２つの実施例では、イメージセンサとしてＣＣＤイメージャを用いているが、光学的黒成分および空送り成分はＣＭＯＳセンサによって生成されたカメラ信号にも含まれる。このため、この発明は、イメージセンサとしてＣＭＯＳセンサを用いる場合にも適用できる。
【図面の簡単な説明】
【図１】この発明の１実施例を示すブロック図である。
【図２】ＣＣＤイメージャの構成を示す図解図である。
【図３】ＣＣＤイメージャの受光面を示す図解図である。
【図４】（Ａ）はカメラ信号の一例を示す波形図であり、（Ｂ）はクランプパルスＣＬＰ１を示す波形図であり、（Ｃ）はカメラ信号の他の一例を示す波形図であり、（Ｄ）はクランプパルスＣＬＰ２を示す波形図である。
【図５】図１実施例の動作の一部を示すフロー図である。
【図６】図１実施例の動作の他の一部を示すフロー図である。
【図７】この発明の他の実施例を示すブロック図である。
【図８】図７実施例の動作の一部を示すフロー図である。
【図９】図７実施例の動作の他の一部を示すフロー図である。
【符号の説明】
１０  …ディジタルカメラ
１４  …絞り
１６  …ＣＣＤイメージャ
２０  …クランプ回路
２６  …タイミングジェネレータ
２８  …第１信号処理回路
３２  …積分回路
４０  …ＣＰＵ
【図１】
0003540662.tif 000002
【図２】
0003540662.tif 000003
【図３】
0003540662.tif 000004
【図４】
0003540662.tif 000005
【図５】
0003540662.tif 000006
【図６】
0003540662.tif 000007
【図７】
0003540662.tif 000008
【図８】
0003540662.tif 000009
【図９】
0003540662.tif 000010